(57)【要約】  【課題】外囲板のはぜ締め作業を容易におこなうことができる断熱屋根、断熱外壁等の断熱外囲体を提供する。  【解決手段】断熱外囲体は、下地材（２）と、この下地材（２）に固定された吊子下部（１０ｄ）と、この吊子下部（１０ｄ）の結合部（１０ｃ）と脱着自在、且つスライド自在に結合可能な結合部（１０ｅ）を有する吊子上部（１０ｈ）と、この吊子下部（１０ｄ）間に配置された断熱材（６）と、この断熱材（６）の上面に、吊子上部（１０ｈ）間に位置して配置され、隣接する側部が吊子上部（１０ｈ）のはぜ部（１０ｇ）にはぜ締めされた長尺状の金属板からなる外囲板とから構成され、断熱材（６）の厚さと吊子下部（１０ｄ）の立ち上り部（１０ｂ）の高さを略同一とし、吊子下部（１０ｄ）の立ち上り部（１０ｂ）に形成された結合部（１０ｃ）が断熱材（６）の配列平面から若干突出するようにする。【選択図】  図１
2007002480.tif 000002
【特許請求の範囲】
【請求項１】
下地材（２）と、下位水平部（１０ａ）と立ち上がり部（１０ｂ）と結合部（１０ｃ）を有し、前記下位水平部（１０ａ）が、前記下地材（２）に固定される吊子下部（１０ｄ）と、前記吊子下部（１０ｄ）の結合部（１０ｃ）と脱着自在、且つスライド自在に結合可能な結合部（１０ｅ）と立ち上がり部（１０ｆ）とはぜ部（１０ｇ）とを有し、前記吊子下部（１０ｄ）の結合部（１０ｃ）に、脱着自在且つスライド自在に結合する吊子上部（１０ｈ）と、前記吊子下部（１０ｄ）間に配置される断熱材（６）と、前記断熱材（６）の上面に、前記吊子上部（１０ｈ）間に位置して配置される、隣接する側部が前記吊子上部（１０ｈ）のはぜ部（１０ｇ）にはぜ締めされる長尺状の金属板からなる外囲板（１２）とから成り、前記断熱材（６）の厚さと前記吊子下部（１０ｄ）の立ち上り部（１０ｂ）の高さを略同一とし、前記吊子下部（１０ｄ）の結合部（１０ｃ）が断熱材（６）の配列平面から若干突出するようにしたことを特徴とする断熱外囲体。
【請求項２】
前記吊子下部（１０ｄ）と吊子上部（１０ｈ）の結合部（１０ｃ）（１０ｅ）を、開口部を有する円形とし、前記吊子上部（１０ｈ）の結合部（１０ｅ）を前記吊子下部（１０ｄ）の結合部（１０ｃ）に引掛けることが可能なフック形状としたことを特徴とする請求項１に記載の断熱外囲体。
【発明の詳細な説明】
【技術分野】
【０００１】
本発明は建物の屋根や外壁に用いられる断熱外囲体に関する。
【背景技術】
【０００２】
従来、断熱屋根として、図２に示すように、下地材（２）に複数の吊子（４）を固定し、該吊子（４）間に断熱材（６）を配置し、該断熱材（６）の上に金属板からなる屋根材（８）を配置し、該屋根板（８）の側部を対向する吊子（４）にはぜ締めした構造のものが知られている（例えば特許文献１参照）。
【特許文献１】特開２００１−３５２２公報
【発明の開示】
【発明が解決しようとする課題】
【０００３】
断熱屋根を構築する場合、まず下地材（２）に吊子（４）を固定し、次に吊子（４）間に位置させて、屋根材（８）を断熱材（６）の平面上に展開し、屋根材（８）の側部を吊子（４）にはぜ締めする。断熱材（６）の上面に屋根材（８）を展開配置し、はぜ締めする作業は断熱材（６）の配列平面から吊子（４）の立ち上り部（４ａ）が多数、長く突き出した状態で行われる。この突出長さは通常５〜６ｃｍ位ある。そのため、大きく突出する多数のこの立ち上り部（４ａ）が作業者の歩行の邪魔になり、作業効率を低下させるとともに、作業者が立ち上り部（４ａ）に引掛かってころんだり、あるいは、この立ち上り部（４ａ）に足を引掛けると立ち上り部（４ａ）が変形してしまうことがある。
本発明は上記問題点を解決することを目的とするものである。
【課題を解決するための手段】
【０００４】
上記目的を達成するため本発明は、下地材（２）と、下位水平部（１０ａ）と立ち上がり部（１０ｂ）と結合部（１０ｃ）を有し、前記下位水平部（１０ａ）が、前記下地材（２）に固定される吊子下部（１０ｄ）と、前記吊子下部（１０ｄ）の結合部（１０ｃ）と脱着自在、且つスライド自在に結合可能な結合部（１０ｅ）と立ち上がり部（１０ｆ）とはぜ部（１０ｇ）とを有し、前記吊子下部（１０ｄ）の結合部（１０ｃ）に、脱着自在且つスライド自在に結合する吊子上部（１０ｈ）と、前記吊子下部（１０ｄ）間に配置される断熱材（６）と、前記断熱材（６）の上面に、前記吊子上部（１０ｈ）間に位置して配置される、隣接する側部が前記吊子上部（１０ｈ）のはぜ部（１０ｇ）にはぜ締めされる長尺状の金属板からなる外囲板（１２）とから成り、前記断熱材（６）の厚さと前記吊子下部（１０ｄ）の立ち上り部（１０ｂ）の高さを略同一とし、前記吊子下部（１０ｄ）の結合部（１０ｃ）が断熱材（６）の配列平面から若干突出するようにしたものである。
また本発明は、前記吊子下部（１０ｄ）と吊子上部（１０ｈ）の結合部（１０ｃ）（１０ｅ）を、開口部を有する円形とし、前記吊子上部（１０ｈ）の結合部（１０ｅ）を前記吊子下部（１０ｄ）の結合部（１０ｃ）に引掛けることが可能なフック形状としたものである。
【発明の効果】
【０００５】
本発明は断熱工法の屋根葺き、あるいは外壁構築作業を効率的に行うことができる。また、外囲板の熱膨張によるひずみや音鳴りを防止できる。
【発明を実施するための最良の形態】
【０００６】
以下に、本発明の実施の形態を添付した図面を参照して詳細を説明する。
図１において、（２）は建物の屋根の下地材であり、鉄骨、木、コンクリートその他の部材により構成されている。（１０）は、雨水の流れる方向に沿って、下地材（２）上に配置された長尺状の吊子であり、下位水平部（１０ａ）と吊子下部立ち上がり部（１０ｂ）と吊子下部結合部（１０ｃ）とからなる吊子下部（１０ｄ）と、吊子上部結合部（１０ｅ）と吊子上部立ち上り部（１０ｆ）と吊子上部はぜ部（１０ｇ）とからなる吊子上部（１０ｈ）とより構成されている。
【０００７】
前記結合部（１０ｃ）（１０ｅ）は、円形部と開口部とを有するフック形状となっており、互いに脱着自在に結合し得るように構成されている。吊子下部（１０ｄ）の立ち上り部（１０ｂ）の高さは、断熱材（６）の厚さと略同一に設定されている。前記吊子上部（１０ｈ）の開口縁（１０ｉ）を前記吊子下部（１０ｂ）の開口部に挿入することで、結合部（１０ｅ）内周面と結合部（１０ｃ）の外周面とが嵌合し、該嵌合状態で、吊子上部（１０ｈ）は、吊子下部（１０ｄ）に対して、該吊子下部（１０ｄ）の結合部（１０ｃ）に沿ってスライド自在となっている。
【０００８】
（１２）は、長尺状の金属板から成る外囲板であり、その両側部に傾斜部（１２ｂ）（１２ｂ）と立ち上り部（１２ｃ）（１２ｃ）と、上位水平部（１２ｄ）（１２ｄ）が形成され、外囲板（１２）の一側面には、更にはぜ締め用の垂下片（１２ｅ）が形成されている。
次に、外囲体（１２）を下地材（２）上に被覆し、屋根を構築する組み立て工法について説明する。尚、本発明は屋根以外にも建物の外壁にも応用することができる。
【０００９】
まず、複数個の吊子の下部を（１０ｄ）を、下地材（２）上に、所定の間隔を存して、雨水の落下する方向と平行な方向に配列し、各吊子下部（１０ｄ）の、下位水平部（１０ａ）をビスにより、下地材（２）に固定する（図１Ａ参照）。
【００１０】
次に、下地材（２）上に長方形状の断熱材（６）を敷き、各断熱材（６）の側面を対応する吊子下部（１０ｄ）の立ち上り部（１０ｂ）の側面に当接配置する（図１Ａ参照）。下地材（２）上に断熱材（６）を敷いた状態において、吊子下部（１０ｄ）の結合部（１０ｃ）は、断熱材平面よりわずか（略１０ｍｍ）に突出するように、結合部（１０ｃ）の寸法が破定されている。
【００１１】
次に、吊子上部（１０ｈ）を吊子下部（１０ｄ）に引掛け結合しつつ、長尺状の、図１中、紙面垂直方向に伸びる外囲板（１２）を断熱材（６）の上に置き、その立ち上り部（１２ｃ）を、吊子上部（１０ｈ）の立ち上り部（１０ｆ）に当接させる。このとき、外囲板（１２）の垂下片（１２ｅ）が形成された上位水平部（１２ｄ）を、吊子上部（１０ｈ）のはぜ部（１０ｇ）の上面に重ね、外囲板（１２）の他の側部の上位水平部（１２ｄ）を、吊子上部（１０ｈ）のはぜ部（１０ｇ）の下面に重ねる（図１ｃ参照）。
【００１２】
互いに隣接する一対の外囲板（１２  ）（１２  ）の傾斜部（１２ｂ）（１２ｂ）は三角形を形成し、この三角形の中に吊子下部（１２ｄ）と吊子上部（１０ｈ）の重なり合った結合部（１０ｃ）（１０ｅ）が収納配置される。上記の要領で順次、外囲板（１２）を隣接配置し、最後に、外囲板（１２）の垂下片（１２ｅ）を内側に折り曲げ、対応する吊子（１０ｃ）のはぜ部（１０ｇ）にはぜ締めし、互いに隣接する外囲板（１２）を吊子（１０）に固定する（図１Ｄ参照）。
【００１３】
上記した施工工程において、断熱材（６）を吊子（１０）間に落とし込んでも、断熱材平面から、吊子の上部がわずか１０ｍｍ程度突出するだけなので、作業者の施工中の歩行や作業が容易となり、作業効率を向上させることができる。また、外囲板を吊子上部（１０ｈ）にはぜ締めにより固定しても、吊子上部（１０ｈ）は吊子下部（１０ｄ）に対してスライド自在なため、外囲板の熱膨張による変位をこのスライドにより吸収することができ、外囲板の熱膨張によるひずみや音鳴りの発生を防止することができる。
【図面の簡単な説明】
【００１４】
【図１】本発明の説明図である。
【図２】従来技術の説明図である。
【符号の説明】
【００１５】
２      下地材
４      吊子
６      断熱材
８      屋根材
１０    吊子
１０ａ  下位水平部
１０ｂ  下部立ち上り部
１０ｃ  下部結合部
１０ｄ  吊子下部
１０ｅ  吊子上部結合部
１０ｆ  吊子上部立ち上り
１０ｇ  吊子上部はぜ部
１０ｈ  吊子上部
１０ｉ  開口縁
１２    外囲板
１２ｂ  傾斜部
１２ｃ  立ち上り部
１２ｄ  上位水平部
１２ｅ  垂下片
【図１】
2007002480.tif 000003
【図２】
2007002480.tif 000004